(57)【要約】【課題】良好な操作性および良好な外観が得られ、製造コストを抑えることができる建具を提供すること。【解決手段】窓枠に開閉自在に設けられた障子３を所定角度だけ開放した際に、障子３と窓枠２との吊元側の隙間に挿入される挿入位置と、隙間から後退した後退位置と、の間をスライド自在に支持される規制部材１０を設ける。挿入位置にスライドされた規制部材１０が障子３に当接することで障子３の回動が規制されるので、良好な操作性が得られ、障子３の開閉動作に応じて規制部材１０が露出することがなく、良好な外観が得られ、障子３と規制部材１０との当接によって障子３の回動を規制するので、規制部材１０を小さい剛性の材料で製造することができ、また、規制部材１０の部品点数を削減でき、製造コストを抑えられる。【選択図】図５
2009068314.tif 000002
【特許請求の範囲】
【請求項１】
枠体と、この枠体に回動自在に支持されて開閉可能な面材とを備えた建具であって、
前記枠体には、前記面材を所定角度だけ開放した際に当該面材と前記枠体との吊元側の隙間に挿入される挿入位置と、前記隙間から後退した後退位置と、の間をスライド自在に支持される規制部材が設けられ、
前記面材が所定角度だけ開放された状態において、前記挿入位置にスライドされた前記規制部材が前記面材に当接することで当該面材の少なくとも一方向の回動が規制される建具。
【請求項２】
前記規制部材は、前記枠体の見込み方向と直交する平面に略平行に形成されるとともに、前記面材の所定部位に当接する当接面を有する請求項１に記載の建具。
【請求項３】
前記面材には、前記規制部材の当接面と当接可能でかつ当該面材の所定の開放角度ごとに前記枠体の見込み方向と直交する平面に略平行となる複数の被当接面が設けられ、
前記当接面が前記複数の被当接面のうちのいずれかに当接することで、複数の開放角度において前記面材の回動が規制される請求項２に記載の建具。
【請求項４】
前記規制部材の当接面は、前記挿入位置にスライドされた状態において、前記面材の回動中心を通り前記枠体の見込み方向に平行な線と交差する点を跨いで形成され、
この交差する点を跨ぐ少なくとも２箇所で前記当接面に前記面材が当接することで、当該面材の回動が規制される請求項２または請求項３に記載の建具。
【請求項５】
前記規制部材の当接面は、互いに見込み方向位置が異なる複数位置に設けられ、
これら複数の当接面に当接することで、複数の開放角度において前記面材の回動が規制される請求項２から請求項４のいずれかに記載の建具。
【請求項６】
前記規制部材は、前記枠体に固定されるベースと、このベースにスライド自在に設けられて前記面材と当接可能なスライド体とを備える請求項１から請求項５のいずれかに記載の建具。
【発明の詳細な説明】
【技術分野】
【０００１】
本発明は、枠体と、この枠体に回動自在に支持されて開閉可能な面材とを備えた建具に関する。
【背景技術】
【０００２】
従来、窓枠と、この窓枠に回動自在に支持されて開閉可能な障子とを備えた建具において、障子を全閉状態と全開状態との間の中間状態で停止させる窓ステーが知られている（例えば、特許文献１参照）。
この特許文献１に記載の窓ステーは、窓枠に取付けられる長尺状のベースと、このベースに沿って前後に摺動自在に取付けられたスライダと、障子に取付けられる障子取付板と、第１，第２アームとの５つの部材から構成される。第１アームの一端は、スライダに回動自在に連結され、他端は、障子取付板の一端に回動自在に連結されている。第２アームの一端は、ベースの後退側の端部に回動自在に連結され、他端は、障子取付板の他端に回動自在に連結されている。そして、スライダを前進位置と後退位置との間で移動させると、障子取付板が、ベースと平行になる障子全閉位置とベースと直角をなす障子全開位置との間を移動するように構成されている。
【０００３】
さらに、ベースには、スライダの前進位置と後退位置との間の中間位置に切り欠きが形成されている。また、スライダには、ベースの切り欠きに嵌合可能なストッパが形成されている。
このような構成において、障子が開く際に、スライダが移動して、スライダのストッパがベースの切り欠き位置に来ると、ストッパが切り欠き内に嵌まり込み、これによりスライダが前進位置と後退位置との間の中間位置で停止し、障子取付板が障子全開位置になる前に停止する。その結果、障子が、全閉状態と全開状態との間の中間状態で停止するように構成されている。
【０００４】
【特許文献１】特開２００１−３５５３７２号公報
【発明の開示】
【発明が解決しようとする課題】
【０００５】
しかしながら、特許文献１に記載の窓ステーでは、開閉操作時に構成部材が互いに回動することによって、ベースと、第１アームと、障子取付板と、第２アームとで囲まれた多角形の形状が変化するので、これらのベースと、第１アームと、障子取付板と、第２アームとで囲まれた部分で指を挟む可能性がある。
また、開閉操作時に障子の開放移動に伴って、第１アームと、第２アームとが、窓枠と障子との間に露出されることで、窓ステーが室内側からも見えてしまい、良好な外観が得られないという課題があった。
さらに、特許文献１に記載の窓ステーは、構成部材の点数が多く、構造が複雑で製造コストの点で問題があった。
【０００６】
本発明の目的は、良好な操作性および良好な外観が得られ、製造コストを抑えることができる建具を提供することである。
【課題を解決するための手段】
【０００７】
本発明の建具は、枠体と、この枠体に回動自在に支持されて開閉可能な面材とを備えた建具であって、枠体には、面材を所定角度だけ開放した際に当該面材と枠体との吊元側の隙間に挿入される挿入位置と、隙間から後退した後退位置と、の間をスライド自在に支持される規制部材が設けられ、面材が所定角度だけ開放された状態において、挿入位置にスライドされた規制部材が面材に当接することで当該面材の少なくとも一方向の回動が規制されることを特徴とする。
【０００８】
本発明によれば、規制部材が枠体にスライド自在に支持されており、規制部材を枠体と面材との隙間に挿入するだけで、規制部材が面材に当接して当該面材の回動を規制することができる。従って、従来の窓ステーのように、開閉操作時に互いに回動する部材間で指を挟む可能性がなく、良好な操作性が得られる。
また、規制部材が枠体にスライド自在に支持されているので、従来のように面材の開閉動作に応じて部材が枠体と面材との間に露出されることがなく、規制部材が目立たず、良好な外観が得られる。
また、従来の窓ステーでは、アーム等の部材に引張りや曲げが作用するため、剛性の大きい材料（例えば、ステンレス鋼など）で部材を製造する必要があったが、これに対して、本発明では、面材と規制部材との当接によって面材の回動を規制するので、規制部材に引張りや曲げが作用せず、規制部材を従来よりも剛性の小さい材料（例えば、合成樹脂など）で製造することができる。また、規制部材が、挿入位置と後退位置との間をスライド自在に支持される簡単な構成とすることができ、必要な部品点数も削減でき、製造コストを抑えることができる。
【０００９】
この際、本発明の建具では、規制部材は、枠体の見込み方向と直交する平面に略平行に形成されるとともに、面材の所定部位に当接する当接面を有することが好ましい。
この構成によれば、当接面が枠体の見込み方向と直交する平面に略平行に形成されているので、当接面と面材の所定部位とが当接する際に、当接面に見込み方向と直交する方向の力が作用しないので、規制部材がその方向に移動してしまうことがなく、面材の回動を確実に規制することができる。
【００１０】
さらに、本発明の建具では、面材には、規制部材の当接面と当接可能でかつ当該面材の所定の開放角度ごとに枠体の見込み方向と直交する平面に略平行となる複数の被当接面が設けられ、当接面が複数の被当接面のうちのいずれかに当接することで、複数の開放角度において面材の回動が規制されることが好ましい。
この構成によれば、被当接面が、面材の所定の開放角度において規制部材の当接面と当接可能に設けられているので、規制部材が挿入位置にある状態で、当該被当接面と当接面とが互いに当接して、面材の回動が規制される。従って、面材を回動させようとする外力を当接面と被当接面との面同士で受けることができるので、当接部分が点接触や線接触する場合と比べて、面材および規制部材の当接部分の耐久性が向上する。
また、当接面および被当接面が、枠体の見込み方向と直交する平面に略平行となるように設けられているので、面材の回動を規制する際に、当接する面同士が面に平行な方向に相対移動しにくくすることができ、当接する面の磨耗が生じにくくなる。従って、当接面同士の摩擦によって面材の回動を規制する場合と比べて、面材および規制部材の当接部分の耐久性が向上する。
また、被当接面が、面材の所定の開放角度（例えば、４５°や９０°等）ごとに複数設けられているので、複数の開放角度で面材の回動を規制することができる。
【００１１】
また、本発明の建具では、規制部材の当接面は、挿入位置にスライドされた状態において、面材の回動中心を通り枠体の見込み方向に平行な線と交差する点を跨いで形成され、この交差する点を跨ぐ少なくとも２箇所で当接面に面材が当接することで、当該面材の回動が規制されることが好ましい。
この構成によれば、当接面が、面材の回動中心を通り枠体の見込み方向に平行な線と交差する点を跨いで形成され、すなわち、その交差する点から見込み方向に直交する方向の両側に延設されているので、当接面が面材の所定部位と当接する際に、その交差する点を跨ぐ少なくとも２箇所で規制部材と面材とが当接する。従って、面材が所定の開放角度から開閉する両方向の回動を規制することができ、面材をその開放角度の状態で保持することができる。なお、点を跨ぐ少なくとも２箇所での当接面と面材との当接については、面材側の当接する部位が当該点を跨ぐ面で形成されて、当接面と面材との面接触であってもよい。
【００１２】
さらに、本発明の建具では、規制部材の当接面は、互いに見込み方向位置が異なる複数位置に設けられ、これら複数の当接面に当接することで、複数の開放角度において面材の回動が規制されることが好ましい。
この構成によれば、面材の当接する部位が、開放角度によって見込み方向位置が変化しても、規制部材の当接面が、見込み方向位置が異なる複数位置に設けられているので、それぞれの開放角度で面材と規制部材との当接が可能となって、複数の開放角度で面材の回動を規制することができる。
また、面材ではなく規制部材側に複数の当接面を設けることによって、面材側の当接する部位を形成するために面材の框などを加工したり、新規の部材を用いたりする必要がなく、規制部材の単体部品だけを用意すればよい。従って、より簡単な構成で面材の回動を規制することができる。
【００１３】
また、本発明の建具では、規制部材は、枠体に固定されるベースと、このベースにスライド自在に設けられて面材と当接可能なスライド体とを備えることが好ましい。
この構成によれば、規制部材が、枠体に固定されるベースと、このベースにスライド自在に設けられて面材と当接可能なスライド体とから構成されるので、規制部材をスライド可能とする案内部を枠体に形成する必要がなく、ベースを枠体に固定するだけでよい。また、枠体の加工が不要となるので、既存の建具等に後付けで取り付けることもできる。
【発明を実施するための最良の形態】
【００１４】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。
【００１５】
〔第１実施形態〕
図１および図２は、本発明の第１実施形態に係る建具である片開き窓１を示す縦断面図および横断面図である。図３は、片開き窓１における規制部材１０を示す斜視図である。図４は、規制部材１０を示す分解斜視図である。
図１および図２において、片開き窓１は、窓枠２と、この窓枠２内部に開閉自在に支持された障子３とを有して構成されている。窓枠２は、上枠４、下枠５および左右の縦枠６，７を四周枠組みして形成され、建物の外壁開口部に固定されている。障子３は、上框３１、下框３２および左右の縦框３３，３４を四周框組みした内部に、ガラス製や樹脂製のパネル材３５を嵌め込んで構成されている。そして、障子３の吊元側の端縁である縦框３３の上端部が上側軸部材３６を介して上枠４に軸支され、下端部が下側軸部材３７を介して下枠５に軸支されている。このようにして、障子３は、戸先側端縁である縦框３４が縦枠７から離れる方向に開放可能に設けられている。下枠５の吊元側部分には、障子３の回動を規制する規制部材１０が設けられ、この規制部材１０によって開放時の障子３が窓枠２に対して所定の開放角度（例えば、４５°，９０°）で規制されるようになっている。
【００１６】
図３にも示すように、下枠５は、見込み方向に延設される見込み部５１と、この見込み部５１の室内側端縁から立上る立上り部５２と、この立上り部５２の上端から室外側に突出する突出部５３とを備え、これらの部位５１〜５３によって断面略矩形状に区画形成された溝部５４を有する。溝部５４の内側面（立上り部５２の室外側の面）５５は、図１に示す障子３が閉じた状態での下框３２の室内側の面３８と略平行となっている。この内側面５５に規制部材１０が、窓枠２の見付け方向に沿ってスライド自在に固定されている。見込み部５１の吊元側部分には、障子３の下側軸部材３７が固定される。
【００１７】
以下、図４も参照して規制部材１０の構造を詳しく説明する。
図４において、規制部材１０は、合成樹脂製で略直方体状に形成されたベース１１と、このベース１１にスライド自在に設けられる合成樹脂製のスライド体１２とを有する。
ベース１１は、長手方向が窓枠２の見付け方向となるように、２つのねじ１３によって溝部５４の内側面５５にねじ止めされている。なお、ベース１１とスライド体１２は、合成樹脂製に限られず、金属製（アルミ、鋼、ステンレス等）の材料で構成されてもよい。
【００１８】
スライド体１２は、ベース１１側に開口する中空状に形成され、ベース１１の長手方向に平行な一対の側面１１１と、この側面１１１に対応するスライド体１２の一対の内側面とが摺動することで、ベース１１に対してスライド自在に取り付けられている。
ベース１１の長手方向の片方の側面１１１には突起部１４が形成され、これに対応するスライド体１２の内側面には、突起部１４に係止可能な係止部１５が形成される。そして、スライド体１２は、ベース１１に対して、係止部１５に突起部１４が係止される位置（挿入位置）と、係止部１５から突起部１４が外れる位置（後退位置）との間を、長手方向にスライド可能に構成されている。
【００１９】
スライド体１２の室外側（図４中の上側）の端部には、ベース１１からの距離が互いに異なる二つの第１当接面１６および第２当接面１７がベース１１の長手方向に沿って並設されている。第１当接面１６は、スライド体１２の一端に形成され、第２当接面１７は、第１当接面１６よりも中央側に形成されている。第２当接面１７は、第１当接面１６よりもベース１１から離れた位置となっている。また、第１，第２当接面１６，１７は、略４５度の傾斜面１８で連続して形成されている。そして、スライド体１２の第１当接面１６が吊元側となるようにして、規制部材１０が溝部５４内に取り付けられた状態で、第１，第２当接面１６，１７は、溝部５４の内側面５５に略平行に設けられ、互いに見込み方向位置が異なる位置に設けられている。
また、スライド体１２の長手方向の他端には、操作用の凹部１９が形成されている。スライド体１２をスライド操作する際、使用者が手の指などをこの凹部１９に引っ掛けることで、スライド体１２をスライド移動できるようになっている。
以上のような規制部材１０は、図１〜図３から明らかなように、下枠５の溝部５４に設置され、室内側からは見えないようになっている。
【００２０】
次に、障子３が所定角度だけ開放された状態で、規制部材１０が障子３の回動を規制する仕組みについて、図２および図５，図６に基づいて説明する。
図２は、障子３を閉じた状態での片開き窓１を示す横断面図である。図５（Ａ），（Ｂ）は、障子３を４５°開放した状態で障子３のフリー状態およびロック状態を説明する横断面図である。図６（Ａ），（Ｂ）は、障子３を９０°開放した状態で障子３のフリー状態およびロック状態を説明する横断面図である。
図２に示すように、障子３の吊元側の縦框３３の断面形状は、中空状の略四角形となっている。すなわち吊元側の縦框３３は、縦枠６側（図２中右側）の見込み面である第１被当接面３３１と、縦框３３の室内側の見付け面３３２と、第１被当接面３３１に対向する見込み面３３３と、見付け面３３２に対向する室外側の見付け面３３４とから構成されている。障子３が閉じた状態では、第１被当接面３３１は溝部５４の内側面５５と略直交し、見付け面３３２は内側面５５と略平行となっている。第１被当接面３３１と見付け面３３２とは、４５度の傾斜面である第２被当接面３３５によって連結されている。
【００２１】
このような構成の吊元側の縦框３３に対して、規制部材１０のスライド体１２は、ベース１１に対して後退位置（前述の突起部１４が係止部１５に係止されない位置）に設定されている。後退位置では、スライド体１２の第１当接面１６が、縦框３３の見付け面３３２よりも室内側となり、第２当接面１７が、見込み面３３３よりも見付け方向の内方側となっている。このようにして、障子３と規制部材１０とが干渉せず、障子３が開方向に回動できるようになっている。
【００２２】
図５（Ａ）には、規制部材１０のスライド体１２が後退位置にある状態で、障子３が４５°まで開放された状態が示され、障子３の第２被当接面３３５が溝部５４の内側面５５に対して略平行となっている。そして、第２被当接面３３５と規制部材１０の第１当接面１６との間には見付け方向に所定寸法Ｗ１の隙間が形成され、障子３は窓枠２に対して開閉可能な状態となっている。
図５（Ｂ）には、規制部材１０のスライド体１２を挿入位置までスライド移動させた状態が示されている。この挿入位置とは、スライド体１２を見付け方向の吊元側にスライド移動させて、前述の突起部１４が係止部１５に係止される位置である。すなわち、障子３の第２被当接面３３５と溝部５４の内側面５５との隙間にスライド体１２が挿入され、第２被当接面３３５と第１当接面１６とが当接した状態となっている。ここで、Ｐは障子３の回動中心を示す。また、Ｌは、回動中心Ｐを通り窓枠２の見込み方向に平行な線を示す。Ｃは、第１当接面１６と線Ｌとが交差する点を示す。そして、第１当接面１６は、点Ｃを跨いで見付け方向に沿って両側に延設されている。このようにして、点Ｃを跨ぐ所定領域Ｗ２で第１当接面１６に第２被当接面３３５が当接して、障子３の開閉両方向の回動が規制されるようになっている。
【００２３】
次に、図６（Ａ）には、規制部材１０のスライド体１２が後退位置にある状態で、障子３が９０°まで開放された状態が示され、障子３の第１被当接面３３１が溝部５４の内側面５５に対して略平行となっている。そして、第１被当接面３３１と規制部材１０の第２当接面１７との間には見付け方向に所定寸法Ｗ３の隙間が形成され、障子３は窓枠２に対して開閉可能な状態となっている。
図６（Ｂ）には、障子３の第１被当接面３３１と溝部５４の内側面５５との隙間にスライド体１２が挿入され、第１被当接面３３１と第２当接面１７とが当接した状態となっている。図６（Ｂ）に示すように、第２当接面１７は、線Ｌよりも見込み方向の内方側の所定領域Ｗ４で第２当接面１７に第１被当接面３３１が当接するようになっている。このようにして、障子３が閉じる方向に回動する場合に、第２当接面１７と第１被当接面３３１とが当接して、障子３の閉方向の回動が規制されるようになっている。
【００２４】
次に、規制部材１０の取付方法について説明する。規制部材１０は、ベース１１とスライダ体１２とから構成されているので、窓枠２を組立工場で組立てられる際に所定の位置に予め取り付けておくことが可能となっている。また、片開き窓１の施工現場において窓枠２を外壁の開口部に固定した後、所定の位置に固定することも可能となっている。さらに、既存の片開き窓１に追加して取り付けることも可能となっている。
【００２５】
このような本実施形態によれば、以下のような効果を奏することができる。
（１）規制部材１０が窓枠２にスライド自在に支持されており、規制部材１０を窓枠２と障子３との吊元側の隙間に挿入するだけで、規制部材１０が障子３に当接して当該障子３の回動を規制することができ、良好な操作性が得られる。
（２）規制部材１０が窓枠２にスライド自在に支持されているので、障子３の開閉動作に応じて規制部材１０が窓枠２と障子３との間に露出することがなく、規制部材１０が目立たず、良好な外観が得られる。
【００２６】
（３）障子３と規制部材１０との当接によって障子３の回動を規制するので、規制部材１０に引張りや曲げが作用せず、規制部材１０を合成樹脂製とすることができ、製造コストを抑えることができる。
（４）第１，第２被当接面３３１，３３５が、障子３の所定の開放角度において規制部材１０の第１，第２当接面１６，１７と当接可能に設けられているので、規制部材１０が挿入位置にある状態で、当該第１，第２被当接面３３１，３３５と第１，第２当接面１６，１７とが互いに当接して、障子３の回動が規制される。従って、障子３を回動させようとする外力を第１当接面１６と第２被当接面３３５、または、第２当接面１７と第１被当接面３３１のいずれかの面同士で受けることができるので、障子３および規制部材１０の当接部分の耐久性が向上する。
【００２７】
（５）第１，第２当接面１６，１７および第１，第２被当接面３３１，３３５が、窓枠２の見込み方向と直交する平面に略平行となるように設けられているので、障子３の回動を規制する際に、当接する面同士が面に平行な方向に相対移動しにくくすることができ、当接する面の磨耗が生じにくくなる。従って、障子３および規制部材１０の当接部分の耐久性が向上する。
【００２８】
（６）障子３が４５°の開放角度の場合、第１当接面１６が、障子３の回動中心Ｐを通り窓枠２の見込み方向に平行な線Ｌと交差する点Ｃを跨いで形成され、すなわち、その交差する点Ｃから見込み方向に直交する方向の両側に延設されているので、第１当接面１６が障子３の第２被当接面３３５と当接する際に、その交差するＣ点を跨ぐ所定領域Ｗ２で規制部材１０と障子３とが当接する。従って、障子３が所定の開放角度から開閉する両方向の回動を規制することができ、障子３をその開放角度の状態で保持することができる。
（７）障子３が９０°の開放角度の場合、第２当接面１７が第１被当接面３３１に当接することのよって、障子３の閉方向の回動を規制することができる。
【００２９】
（８）開放角度によって第１，第２被当接面３３１，３３５の見込み方向位置が変化しても、規制部材１０の第１，第２当接面１６，１７が、見込み方向位置の異なる複数位置に設けられているので、それぞれの開放角度で障子３と規制部材１０との当接が可能となって、複数の開放角度で障子３の回動を規制することができる。
（９）規制部材１０が、窓枠２に固定されるベース１１と、このベース１１にスライド自在に設けられて障子３と当接可能なスライド体１２とから構成されるので、ベース１１を窓枠２に固定するだけでよく、窓枠２の加工が不要となる。また、規制部材１０を既存の建具等にも後付けで取り付けることもできる。
【００３０】
［第２実施形態］
次に、本発明の第２実施形態に係る片開き窓１Ａについて図７および図８に基づいて説明する。図７は、片開き窓１Ａを示す縦断面図である。図８（Ａ），（Ｂ）は、障子３を４５°開放した状態での障子３のフリー状態およびロック状態を説明する横断面図である。
図７において、片開き窓１Ａは、前述の第１実施形態の片開き窓１に対して規制部材１０が下枠５だけでなく上枠４にも設けられている構成と、規制部材１０Ａが吊元側の縦枠６の中間高さ位置に設けられている構成とが相違するもので、その他の構成は略同様である。規制部材１０Ａは、下枠５の溝部５４と同様に、上枠４の溝部４４の内側面４５に固定されている。
【００３１】
図８に示すように、規制部材１０Ａは、合成樹脂製のベース１１Ａと、このベース１１Ａにスライド自在に設けられる合成樹脂製のスライド体１２Ａとを有して構成されている。ベース１１Ａは、スライド体１２Ａの案内方向が窓枠２の見付け方向となるように、２つのねじ１３Ａによって縦枠６の内側面６１にねじ止めされている。スライド体１２Ａは、第１実施形態のスライド体１２と同様の第１当接面１６および第２当接面１７を有するとともに、つまみ部２０を有している。使用者は、このつまみ部２０を見付け方向に押し引きすることによって、スライド体１２Ａをベース１１Ａに対して、スライド移動できるようになっている。
【００３２】
このような本実施形態によれば、前記（１）〜（９）の効果と略同様の効果に加えて以下の効果を奏することができる。
（１０）規制部材１０が、障子３の上枠４および下枠５、吊元側の縦枠６の中間高さの合計３箇所に取り付けられているので、障子３の回動を確実に規制することができる。
（１１）スライド体１２Ａにつまみ部２０が設けられているので、つまみ部２０を操作することでスライド体１２Ａを容易にスライド移動させることができる。
【００３３】
［第３実施形態］
次に、本発明の第３実施形態に係る片開き窓１Ｂについて図９に基づいて説明する。図９は、障子３の閉状態、４５°開放した状態、６０°開放した状態、９０°開放した状態のそれぞれの状態において、規制部材１０Ｂを用いて障子３をフリー状態およびロック状態にする仕組みを説明する横断面図である。
図９に示すように、片開き窓１Ｂは、前述の第１実施形態の片開き窓１に対して、障子３の吊元側の縦框３３に第３被当接面３３６が形成されている構成と、規制部材１０Ｂのスライド体１２Ｂに形成される当接面１６Ａの構成とが相違するもので、その他の構成は略同様である。
すなわち、第３被当接面３３６が第１被当接面３３１と第２被当接面３３５との間に形成され、障子３の６０°まで開放された状態では、第３被当接面３３６が溝部５４の内側面５５に対して略平行となっている。そして、スライド体１２Ｂを挿入位置までスライド移動させた状態で、第３被当接面３３６とスライド体１２Ｂの当接面１６Ａとが当接して、障子３の開閉両方向の回動が規制されるようになっている。
また、これらの第１，第２，第３被当接面３３１，３３５，３３６は、障子３の回動中心Ｐとの距離が同一となるように形成されている。これによって、障子３の各開放角度（４５°，６０°，９０°）の状態で、各被当接面３３１，３３５，３３６と溝部５４の内側面５５との間隔が同一となり、各被当接面３３１，３３５，３３６がスライド体１２Ｂの当接面１６Ａと当接可能に構成されている。このようにスライド体１２Ｂには、３つの開放角度（４５°，６０°，９０°）のいずれの状態の障子３とも当接可能な当接面１６Ａが形成されている。
【００３４】
このような本実施形態によれば、前記（１）〜（９）の効果と略同様の効果に加えて以下の効果を奏することができる。
（１２）規制部材１０Ｂによって、障子３の３つの開放角度（４５°，６０°，９０°）の状態で、障子３の回動を規制することができる。
（１３）３つの開放角度で第１，第２，第３被当接面３３１，３３５，３３６の見込み方向位置が変化しないので、規制部材１０Ｂのスライド体１２Ｂに共通の当接面１６Ａを一つだけ形成すればよいので、規制部材１０Ｂの構造を簡単にすることができる。
【００３５】
なお、本発明は、前記実施形態に限定されるものではなく、本発明の目的を達成できる他の構成等を含み、以下に示すような変形等も本発明に含まれる。
例えば、前記実施形態においては、建具として片開き窓１を例示して説明したが、本発明の建具としては、片開き窓１に限られず、突き出し窓、両開き窓、外倒し窓、内倒し窓、天窓等の窓でもよい。あるいは、窓に限られず玄関のドア等でもよい。また、規制部材の取付位置や個数にも制限はない。
【００３６】
本発明の規制部材としては、建具に使用する場合に限られず、支持体に回動自在に支持された面材（例えば、戸棚の扉など）において、その回動を規制する規制部材としても利用できる。
また、既存の片開き窓において、障子の吊元側の縦框の形状を変更することなく、障子の所定の開放角度の状態で、障子と当接可能な当接面を規制部材に形成するようにしてもよい。これによって、障子の縦框等の当接する部位を新たに形成する必要がなく、規制部材の単体部品だけを用意するだけで障子の回動を規制することができる。
【００３７】
また、前記各実施形態では、当接面と被当接面との面同士の当接によって障子の回動を規制する場合を説明したが、これに限られず、例えば、一方の当接する部位に単数あるいは複数の突起部を備えることによって、障子側と規制部材側との当接が面と突起部との当接となるようにしてもよい。
【図面の簡単な説明】
【００３８】
【図１】本発明の第１実施形態に係る建具を示す縦断面図である。
【図２】前記建具を示す横断面図である。
【図３】前記建具における規制部材を示す斜視図である。
【図４】前記規制部材を示す分解斜視図である。
【図５】前記建具における面材を４５°開放した状態でのフリー状態およびロック状態を説明する横断面図である。
【図６】前記建具における面材を９０°開放した状態でのフリー状態およびロック状態を説明する横断面図である。
【図７】本発明の第２実施形態に係る建具を示す縦断面図である。
【図８】前記建具における面材を４５°開放した状態でのフリー状態およびロック状態を説明する横断面図である。
【図９】本発明の第３実施形態に係る建具における面材のフリー状態およびロック状態を説明する横断面図である。
【符号の説明】
【００３９】
１，１Ａ，１Ｂ…片開き窓（建具）、２…窓枠（枠体）、３…障子（面材）、１０，１０Ａ，１０Ｂ…規制部材、１１，１１Ａ…ベース、１２，１２Ａ，１２Ｂ…スライド体、１６…第１当接面、１６Ａ…当接面、１７…第２当接面、３３５…第１被当接面、３３１…第２被当接面、Ｐ…面材の回動中心、Ｌ…枠体の見込み方向に平行な線、Ｃ…枠体の見込み方向に平行な線と交差する点。
【図１】
2009068314.tif 000003
【図２】
2009068314.tif 000004
【図３】
2009068314.tif 000005
【図４】
2009068314.tif 000006
【図５】
2009068314.tif 000007
【図６】
2009068314.tif 000008
【図７】
2009068314.tif 000009
【図８】
2009068314.tif 000010
【図９】
2009068314.tif 000011